(57)【要約】【課題】架空線に反光器を取り付けて、架空線の視認性を向上させる場合に、反射効果を長期間持続できる反光器を提供する。【解決手段】反光器１は、本体部１０と、反射部２０と、を有する。反光器１は、架空線３に取り付けられる。本体部１０は、少なくとも可視光を通過させる部分を有している。本体部１０の内部には、本体部１０を通過した入射光を反射する反射面２０Ｓが本体部１０の外側を向いている反射部２０が設けられている。【選択図】図１
2016185042.tif 000002
【特許請求の範囲】
【請求項１】
架空線に取り付けられ、かつ少なくとも可視光を通過させる部分を有する本体部と、
前記本体部の内部に設けられ、前記本体部を通過した入射光を反射する反射面が前記本体部の外側を向いている反射部と、
を有する反光器。
【請求項２】
前記本体部および前記反射部は、前記架空線の外周を囲むように設けられ、
前記本体部および前記反射部は、前記架空線に回転自在に取り付けられている
請求項１に記載の反光器。
【請求項３】
前記本体部の外周面には、前記本体部の周囲に吹く風を受けて前記本体部および前記反射部を前記架空線の周りに回転させる受風部が設けられている
請求項２に記載の反光器。
【請求項４】
前記本体部および前記反射部は、前記本体部の中心軸に沿った細長い形状を有する
請求項３に記載の反光器。
【請求項５】
前記本体部には、前記架空線の外周を囲んで前記本体部の中心軸と平行に延びる支持軸が設けられており、
前記支持軸は、前記架空線に固定されたガイド部によって支持されており、
前記ガイド部は、前記本体部、前記反射部および前記支持軸が前記架空線と接触しないように、前記中心軸と直交する方向の前記支持軸の移動を規制する
請求項３または４に記載の反光器。
【請求項６】
前記ガイド部と前記支持軸との間には、前記本体部、前記反射部および前記支持軸が前記架空線と接触しない範囲で、前記中心軸と直交する方向の前記支持軸の移動を許容する隙間が設けられている
請求項５に記載の反光器。
【請求項７】
前記本体部、前記反射部、前記支持軸および前記受風部は、前記架空線の周りを一体に回転する回転体を構成し、
前記回転体は、前記中心軸を中心とする円の周方向に沿って複数の第１分割片に分割されている
請求項５または６に記載の反光器。
【請求項８】
前記複数の第１分割片は、形状記憶合金で形成された第１線材によって結束されている
請求項７に記載の反光器。
【請求項９】
前記ガイド部は、前記中心軸を中心とする円の周方向に沿って複数の第２分割片に分割されている
請求項５ないし８のいずれか１項に記載の反光器。
【請求項１０】
前記複数の第２分割片は、形状記憶合金で形成された第２線材によって結束されている
請求項９に記載の反光器。
【請求項１１】
前記ガイド部は、前記架空線を把持する架空線把持部を介して前記架空線に固定されている
請求項５ないし１０のいずれか１項に記載の反光器。
【請求項１２】
前記架空線把持部は、ゴムで形成されている
請求項１１に記載の反光器。
【請求項１３】
前記架空線把持部は、前記中心軸を中心とする円の周方向に沿って複数の第３分割片に分割されている
請求項１１または１２に記載の反光器。
【請求項１４】
前記複数の第３分割片は、形状記憶合金で形成された第３線材によって結束されている
請求項１３に記載の反光器。
【請求項１５】
前記反射面は、前記架空線の方向に向かって凹んでいる
請求項１ないし１４のいずれか１項に記載の反光器。
【請求項１６】
前記反射面に凹凸が形成されている
請求項１５に記載の反光器。
【発明の詳細な説明】
【技術分野】
【０００１】
本発明は、反光器に関する。
【背景技術】
【０００２】
鉄塔等の間に架設される架空線は視認性が低いため、ヘリコプター、ハンググライダー、飛行機、クレーン等が架空線に接触する事故が発生している。このような事故の発生を抑制するため、架空線に反光器が取り付けられる。特許文献１には、全方向についての寸法が線材の直径よりも大きく、上部部品及び下部部品を有し、アーマロッドによって線材に取り付けられる立体構造物と、本体部の表面に設けられた再帰性反射材と、を有する標識が記載されている。
【先行技術文献】
【特許文献】
【０００３】
【特許文献１】特開２００５−３４１７５５号公報
【発明の概要】
【発明が解決しようとする課題】
【０００４】
標識を線材に取り付けると、標識の本体部の表面に設けられた再帰性反射材が光を反射するため、線材の視認性を向上させることができる。また、標識の本体部の表面に複数のディンプルを形成して受風抵抗を低減することで、風によって線材や送電鉄塔に加わる力を減少させている。ところが、再帰性反射材が本体部の表面に設けられており、本体部の表面に複数のディンプルが形成されているため、汚れが蓄積しやすく、反射効果を長期間持続させることが困難であるという問題がある。
【０００５】
本発明の目的は、架空線に反光器を取り付けて、架空線の視認性を向上させる場合に、反射効果を長期間持続できる反光器を提供することにある。
【課題を解決するための手段】
【０００６】
本発明の一態様に係る反光器は、架空線に取り付けられ、かつ少なくとも可視光を通過させる部分を有する本体部と、前記本体部の内部に設けられ、前記本体部を通過した入射光を反射する反射面が前記本体部の外側を向いている反射部と、を有する。
【０００７】
この構成によれば、反射面に直接汚れが付着することがないため、反射効果を長期間持続することができる。
【０００８】
本発明の一態様に係る反光器においては、例えば、前記本体部および前記反射部は、前記架空線の外周を囲むように設けられ、前記本体部および前記反射部は、前記架空線に回転自在に取り付けられている。
【０００９】
この構成によれば、反射面が風や架空線の振動によって架空線の周りを回転するため、反光器の視認性が高まる。また、本体部および反射部が回転することで受風抵抗が低減され、さらに、架空線の振動エネルギーや架空線をあおる風の運動エネルギーを消費して本体部および反射部が回転するため、架空線の振動が抑制される。
【００１０】
本発明の一態様に係る反光器においては、例えば、前記本体部の外周面には、前記本体部の周囲に吹く風を受けて前記本体部および前記反射部を前記架空線の周りに回転させる受風部が設けられている。
【００１１】
この構成によれば、本体部および反射部を風の力によって効率よく回転させることができる。
【００１２】
本発明の一態様に係る反光器においては、例えば、前記本体部および前記反射部は、前記本体部の中心軸に沿った細長い形状を有する。
【００１３】
この構成によれば、反射面の面積が大きくなり、反光器の視認性が高まる。また、本体部の中心軸と直交する方向の大きさが小さくなるため、反光器の受風抵抗が低減され、反光器を取り付けた架空線が受ける風の影響が低減される。
【００１４】
本発明の一態様に係る反光器においては、例えば、前記本体部には、前記架空線の外周を囲んで前記本体部の中心軸と平行に延びる支持軸が設けられており、前記支持軸は、前記架空線に固定されたガイド部によって支持されており、前記ガイド部は、前記本体部、前記反射部および前記支持軸が前記架空線と接触しないように、前記中心軸と直交する方向の前記支持軸の移動を規制する。
【００１５】
この構成によれば、架空線と本体部、反射部および支持軸との間の摩擦が低減される。よって、本体部、反射部および支持軸を架空線の周りに円滑に回転させることができる。
【００１６】
本発明の一態様に係る反光器においては、例えば、前記ガイド部と前記支持軸との間には、前記本体部、前記反射部および前記支持軸が前記架空線と接触しない範囲で、前記中心軸と直交する方向の前記支持軸の移動を許容する隙間が設けられている。
【００１７】
この構成によれば、ガイド部と支持軸との間の摩擦が低減される。よって、本体部、反射部および支持軸を架空線の周りに円滑に回転させることができる。
【００１８】
本発明の一態様に係る反光器においては、例えば、前記本体部、前記反射部、前記支持軸および前記受風部は、前記架空線の周りを一体に回転する回転体を構成し、前記回転体は、前記中心軸を中心とする円の周方向に沿って複数の第１分割片に分割されている。
【００１９】
この構成によれば、複数の第１分割片を架空線の周りに配置して組み合わせることで、回転体が架空線に取り付けられる。これにより、回転体を架空線に容易に取り付けることができる。
【００２０】
本発明の一態様に係る反光器においては、例えば、前記複数の第１分割片は、形状記憶合金で形成された第１線材によって結束されている。
【００２１】
この構成によれば、複数の第１分割片の周りに第１線材を巻きつけるための工具が不要になる。また、第１線材の巻き緩みも発生しにくい。
【００２２】
本発明の一態様に係る反光器においては、例えば、前記ガイド部は、前記中心軸を中心とする円の周方向に沿って複数の第２分割片に分割されている。
【００２３】
この構成によれば、複数の第２分割片を架空線の周りに配置して組み合わせることで、ガイド部が架空線に取り付けられる。これにより、ガイド部を架空線に容易に取り付けることができる。
【００２４】
本発明の一態様に係る反光器においては、例えば、前記複数の第２分割片は、形状記憶合金で形成された第２線材によって結束されている。
【００２５】
この構成によれば、複数の第２分割片の周りに第２線材を巻きつけるための工具が不要になる。また、第２線材の巻き緩みも発生しにくい。
【００２６】
本発明の一態様に係る反光器においては、例えば、前記ガイド部は、前記架空線を把持する架空線把持部を介して前記架空線に固定されている。
【００２７】
この構成によれば、ガイド部を架空線に取り付ける際に、架空線に傷が発生しにくくなる。また、架空線把持部がストッパーとして機能することで、ガイド部の位置が架空線に沿って移動しにくくなり、反光器の位置がずれにくくなる。
【００２８】
本発明の一態様に係る反光器においては、例えば、前記架空線把持部は、ゴムで形成されている。
【００２９】
この構成によれば、架空線把持部と架空線との間の摩擦力を大きくすることができる。よって、反光器の位置がずれにくくなる。
【００３０】
本発明の一態様に係る反光器においては、例えば、前記架空線把持部は、前記中心軸を中心とする円の周方向に沿って複数の第３分割片に分割されている。
【００３１】
この構成によれば、複数の第３分割片を架空線の周りに配置して組み合わせることで、架空線把持部が架空線に取り付けられる。これにより、架空線把持部を架空線に容易に取り付けることができる。
【００３２】
本発明の一態様に係る反光器においては、例えば、前記複数の第３分割片は、形状記憶合金で形成された第３線材によって結束されている。
【００３３】
この構成によれば、複数の第３分割片の周りに第３線材を巻きつけるための工具が不要になる。また、第３線材の巻き緩みも発生しにくい。
【００３４】
本発明の一態様に係る反光器においては、例えば、前記反射面は、前記架空線の方向に向かって凹んでいる。
【００３５】
この構成によれば、入射光が集光され、反射光の強度が高まる。よって、反光器の視認性が高まる。
【００３６】
本発明の一態様に係る反光器においては、例えば、前記反射面に凹凸が形成されている。
【００３７】
この構成によれば、反射光に強度分布が発生し、反光器の視認性が高まる。
【発明の効果】
【００３８】
本発明によれば、架空線に反光器を取り付けて、架空線の視認性を向上させる場合に、反射効果を長期間持続できる反光器を提供することができる。
【図面の簡単な説明】
【００３９】
【図１】図１は、本発明の一実施の形態に係る反光器の断面図である。
【図２】図２は、反光器の本体部、反射部、支持部、フランジ部及び受風部を示した斜視図である。
【図３】図３は、反光器の本体部、反射部、支持部、フランジ部及び受風部を架空線の延在方向から見た図である。
【図４】図４は、反光器のガイド部および架空線把持部を架空線の延在方向から見た図である。
【図５】図５は、反光器の取り付け作業を説明する図である。
【図６】図６は、反光器の取り付け作業を説明する図である。
【図７】図７は、反光器の取り付け作業を説明する図である。
【図８】図８は、反光器に設けられた反射面の構成を示す図である。
【発明を実施するための形態】
【００４０】
図１は、本発明の一実施の形態に係る反光器１の断面図である。図２は、反光器１の本体部１０、反射部２０、支持部３０、フランジ部４０及び受風部７０を示した斜視図である。図３は、反光器１の本体部１０、支持部３０、反射部２０、フランジ部４０および受風部７０を架空線３の延在方向から見た図である。図４は、反光器１のガイド部６０および架空線把持部５０を架空線３の延在方向から見た図である。図５ないし図７は、反光器１の取り付け作業を説明する図である。図８は、反光器１に設けられた反射面２０Ｓの構成を示す図である。
【００４１】
図１および図２に示すように、反光器１は、本体部１０と、反射部２０と、支持部３０と、フランジ部４０と、架空線把持部５０と、ガイド部６０と、受風部７０と、を有する。反光器１は、空中に架設された架空線３に取り付けられる。架空線３は、本体部１０、反射部２０、支持部３０、フランジ部４０、架空線把持部５０及びガイド部６０を貫通している。反光器１の中心軸Ｘｒ（本体部１０、反射部２０、支持部３０、フランジ部４０、架空線把持部５０及びガイド部６０の中心軸）は、架空線３の中心軸と一致する。以下、反光器１の中心軸Ｘｒと平行な方向をＸ方向とし、Ｘ方向と直交する二つの方向をＹ方向およびＺ方向として、各部材の配置を説明する。
【００４２】
本体部１０は、架空線３の外周を囲むように設けられた中空状の部材である。本体部１０は、架空線３に取り付けられ、かつ少なくとも可視光（３６０ｎｍ〜８３０ｎｍの波長領域の光）を通過させる部分を有する。本体部１０は、例えば、透明な樹脂で形成されている。本体部１０は、反射部２０の外周を覆うカバー部材として機能する。本体部１０は、反射部２０で反射された可視光を透過する。反射部２０が本体部１０によって覆われることで、反射部２０の反射面２０Ｓに汚れが付着することが抑制される。よって、反射効果が長時間持続する。
【００４３】
本体部１０の外周面１０Ｓは、滑らかであることが好ましい。これにより、本体部１０の外周面１０Ｓに汚れが付着することを抑制することができる。また、本体部１０の外周面１０Ｓが滑らかであれば、たとえ汚れが付着したとしても、反光器１、架空線３の振動及び風雨等によって汚れが除去される。このため、反光器１の反射効果が長期間持続する。
【００４４】
なお、本体部１０のすべてが、可視光を透過させる材料で形成されている必要はない。本体部１０のうち入射光が通過する領域が、肉眼で視認でき、かつ反射部２０で反射できる波長領域の少なくとも一部の光を透過させる材料で形成されていればよい。また、本体部１０のうち反射部２０によって反射される反射光が通過する領域が、反射光のうち少なくとも一部の波長領域の光を透過させる材料で形成されていればよい。
【００４５】
本体部１０は、例えば、Ｘ方向の中央部が円筒状に形成され、Ｘ方向の両端部がドーム状に形成されている。ドーム状に形成された部分は、中心軸Ｘｒに沿ってＸ方向の中心から＋Ｘ方向側及び−Ｘ方向側の端部に向かうにつれて半径が単調に減少する。
【００４６】
本体部１０および反射部２０は、本体部１０の中心軸Ｘｒに沿った細長い形状を有することが好ましい。これにより、反射部２０の反射面２０Ｓの面積が大きくなり、反光器１の視認性が向上する。また、本体部１０の中心軸Ｘｒと直交する方向の大きさが小さくなるため、反光器１の受風抵抗が低減され、反光器１を取り付けた架空線３が受ける風Ｗの影響が低減される。反光器１の受風抵抗が低減されると、反光器１が取り付けられた架空線３が風雨等にあおられて、近くに架設された他の架空線に接触する事象の発生を抑制することができる。
【００４７】
反射部２０は、架空線３の外周を囲むように設けられた筒状の部材である。反射部２０は、本体部１０の内部に設けられている。本体部１０の内部とは、本体部１０の外周面１０Ｓよりも架空線３に近い領域である。反射部２０は、本体部１０のうち中空になっている部分に設けられてもよいし、本体部１０を形成している材料の内部に埋め込まれていてもよい。
【００４８】
反射部２０は、第１反射体２１と、第２反射体２２と、第３反射体２３と、を有する。第１反射体２１は、本体部１０のＸ方向における中央に設けられた、楕円状の部材である。第２反射体２２は、第１反射体２１の＋Ｘ方向側及び−Ｘ方向側に、第１反射体２１に接するように設けられた、楕円状の部材である。第３反射体２３は、第２反射体２２の＋Ｘ方向側又は−Ｘ方向側に、第２反射体２２に接するように設けられた、楕円状の部材である。第１反射体２１、第２反射体２２及び第３反射体２３は、可視光を反射する反射面２０Ｓを有する。
【００４９】
反射部２０は、本体部１０を通過した入射光を反射する反射面２０Ｓが本体部１０の外側を向いている。本体部１０の外側とは、中心軸Ｘｒから測った距離が、本体部１０の外周面１０Ｓより長くなる点が属する空間である。本体部１０の外部から入射した入射光は、反射面２０Ｓによって本体部１０の外側に向けて反射される。反射面２０Ｓは、架空線３の近くを移動する移動物体（ヘリコプター、ハンググライダー、飛行機、クレーン等）からの光又は太陽光を反射する。反光器１が取り付けられた架空線３は、移動物体から認識されやすくなり、移動物体と架空線３との接触が抑制される。
【００５０】
図８に示すように、反射面２０Ｓは架空線３の方向に向かって凹んでいてもよい。こうすることで、入射光が集光され、反射光の強度が高まる。よって、反光器１の視認性が高まる。反射面２０Ｓには、凹凸２９が設けられてもよい。こうすることで、反射光に強度分布が発生し、反光器１の視認性が高まる。
【００５１】
図２に示すように、本体部１０には、架空線３の外周を囲んで本体部１０の中心軸Ｘｒと平行に延びる支持軸９０が設けられている。支持軸９０は、中心軸Ｘｒに沿って本体部１０から突出する支持部３０と、支持部３０の端部に設けられたフランジ部４０と、を有する。支持軸９０は、本体部１０から中心軸Ｘｒに沿って−Ｘ方向に突出する第１支持軸９１と、本体部１０から中心軸Ｘｒに沿って＋Ｘ方向に突出する第２支持軸９２と、を有する。
【００５２】
支持部３０は、本体部１０から中心軸Ｘｒに沿って−Ｘ方向に突出する円筒状の第１支持部３１と、本体部１０から中心軸Ｘｒに沿って＋Ｘ方向に突出する円筒状の第２支持部３２と、を有する。フランジ部４０は、第１支持部３１の−Ｘ方向側の端部に設けられた円環状の第１フランジ部４１と、第２支持部３２の＋Ｘ方向側の端部に設けられた円環状の第２フランジ部４２と、を有する。第１支持軸９１は、第１支持部３１と第１フランジ部４１とにより構成される。第２支持軸９２は、第２支持部３２と第２フランジ部４２とにより構成される。
【００５３】
第１支持部３１及び第２支持部３２の少なくとも一方の内側にゴム板を張り付けてもよい。これにより、第１支持部３１及び第２支持部３２の少なくとも一方と架空線３とが接触した際に、架空線３に傷が付くことを抑制することができる。第１フランジ部４１及び第２フランジ部４２の少なくとも一方の内側にゴム板を張り付けてもよい。これにより、第１フランジ部４１及び第２フランジ部４２の少なくとも一方と架空線３とが接触した際に、架空線３に傷が付くことを抑制することができる。
【００５４】
図１および図２に示すように、支持軸９０は、架空線３に固定されたガイド部６０によって支持されている。本体部１０および反射部２０は、支持軸９０およびガイド部６０を介して架空線３に回転自在に取り付けられている。反射部２０の反射面２０Ｓが架空線３の周りに回転することで、反光器１の視認性を高めることができる。ガイド部６０は、第１支持軸９１を支持する第１ガイド部６１と、第２支持軸９２を支持する第２ガイド部６２と、を有する。第１ガイド部６１は、第１フランジ部４１の外周を囲んで架空線３に固定される中空の部材である。第２ガイド部６２は、第２フランジ部４２の外周を囲んで架空線３に固定される中空の部材である。
【００５５】
ガイド部６０は、架空線３を把持する架空線把持部５０を介して架空線３に固定されている。架空線把持部５０は、第１架空線把持部５１と、第２架空線把持部５２と、を有する。第１架空線把持部５１は、第１フランジ部４１より−Ｘ方向側に位置する筒状の部材である。第２架空線把持部５２は、第２フランジ部４２よりも＋Ｘ方向側に位置する筒状の部材である。第１架空線把持部５１および第２架空線把持部５２の内径Ｒ５０は、架空線３の外径Ｄ３とほぼ等しい。第１ガイド部６１は、一端が第１架空線把持部５１に取り付けられ、第１フランジ部４１を覆うように＋Ｘ方向へ延びている。第２ガイド部６２は、一端が第２架空線把持部５２に取り付けられ、第２フランジ部４２を覆うように−Ｘ方向へ延びている。
【００５６】
ガイド部６０と架空線３との間に架空線把持部５０が設けられることで、ガイド部６０を架空線３に取り付ける際に、架空線３に傷が発生しにくくなる。また、架空線把持部５０がストッパーとして機能することで、ガイド部６０の位置が架空線３に沿って移動しにくくなり、反光器１の位置がずれにくくなる。架空線把持部５０は、例えば、ゴムで形成されている。これにより、架空線把持部５０と架空線３との間の摩擦力を大きくすることができる。よって、反光器１の位置がずれにくくなる。なお、架空線３に傷をつけずにガイド部６０を架空線３上に安定的に保持できる場合には、ガイド部６０を架空線３に直接固定してもよい。この場合、架空線把持部５０は設けられなくてもよい。
【００５７】
ガイド部６０は、本体部１０、反射部２０および支持軸９０が架空線３と接触しないように、中心軸Ｘｒと直交する方向の支持軸９０の移動を規制する。ガイド部６０と支持軸９０との間には、本体部１０、反射部２０および支持軸９０が架空線３と接触しない範囲で、中心軸Ｘｒと直交する方向の支持軸９０の移動を許容する隙間が設けられている。
【００５８】
例えば、架空線３の外径Ｄ３、反射部２０の内径Ｒ２０、支持部３０（第１支持部３１、第２支持部３２）の内径Ｒ３０、フランジ部４０（第１フランジ部４１、第２フランジ部４２）の内径Ｒ４０、フランジ部４０（第１フランジ部４１、第２フランジ部４２）の外径Ｄ４０およびガイド部６０（第１ガイド部６１、第２ガイド部６２）の内径Ｒ６０は、式（１）ないし式（３）で記述される関係を満たす。
【００５９】
Ｒ６０＞Ｄ４０  …（１）
Ｒ３０−Ｄ３＞Ｒ６０−Ｄ４０  …（２）
Ｒ２０＝Ｒ３０＝Ｒ４０  …（３）
【００６０】
これにより、本体部１０、反射部２０および支持軸９０と架空線３とが接触することが抑制される。そのため、架空線３と本体部１０、反射部２０および支持軸９０との間の摩擦が低減される。また、ガイド部６０と支持軸９０との間に隙間が設けられているため、ガイド部６０と支持軸９０との間の摩擦が低減される。よって、架空線３の振動や風Ｗによって本体部１０、反射部２０および支持軸９０を架空線３の周りに円滑に回転させることができる。
【００６１】
なお、架空線３の振動や風Ｗによって、本体部１０、支持部３０及びフランジ部４０が回転すると、フランジ部４０とガイド部６０とが接触することで発生する摩擦力によって、ガイド部６０が架空線把持部５０に対して回転し、ガイド部６０及び架空線把持部５０の少なくとも一方が摩耗してしまう可能性がある。そこで、ガイド部６０及び架空線把持部５０の少なくとも一方が摩耗することを抑制するために、第１ガイド部６１と第１架空線把持部５１とが接触する部分に第１カバー８１を挟み込み、第２ガイド部６２と第２架空線把持部５２とが接触する部分に第２カバー８２を挟み込んでもよい。
【００６２】
本体部１０の外周面１０Ｓには、本体部１０の周囲に吹く風Ｗを受けて本体部１０および反射部２０を架空線３の周りに回転させる受風部７０が設けられている。本体部１０の外周面１０Ｓに受風部７０が設けられることで、本体部１０および反射部２０を風Ｗの力によって効率よく回転させることができる。本体部１０、反射部２０、支持軸９０および受風部７０は、架空線３の周りを一体に回転する回転体１００を構成する。回転体１００は、ガイド部６０によって架空線３に回転可能に取り付けられ、受風部７０で受けた風Ｗの力によって架空線３の周りを回転する。
【００６３】
受風部７０は、例えば、外周面１０Ｓの周方向に沿って並ぶ複数の受風体を有する。本実施形態の場合、受風部７０は、第１受風体７１、第２受風体７２及び第３受風体７３（図３参照）を有する。受風体の形状は、風Ｗを効率よく捕らえることが可能な形状であれば、どのようなものでもよい。本実施形態では、第１受風体７１、第２受風体７２及び第３受風体７３は、例えば、外周面１０Ｓから中心軸Ｘｒとは反対の方向に突出する板状の部材である。第１受風体７１、第２受風体７２及び第３受風体７３は、中心軸Ｘｒと斜めに交差する方向に延在する。
【００６４】
第１受風体７１、第２受風体７２及び第３受風体７３は、これらが延在する平面内において流線型の形状となっていることが好ましい。すなわち、第１受風体７１、第２受風体７２及び第３受風体７３は、これらが延在する平面内において、本体部１０の外周面１０Ｓに接していない部分の角を丸くした板状の部材であることが好ましい。本体部１０の外周面１０Ｓに接していない部分の角を丸くしている分だけ、風Ｗを受ける面積が小さくなる。このため、第１受風体７１、第２受風体７２及び第３受風体７３が、風Ｗの運動エネルギーを反光器１の回転エネルギーに変換する効率が低下する。したがって、風Ｗが強い場合に、反光器１が回り過ぎることによる、フランジ部４０、架空線把持部５０及びガイド部６０の少なくとも一つの摩耗の進行を抑制することができる。
【００６５】
なお、第１受風体７１、第２受風体７２及び第３受風体７３の形状は、流線型に限定されるものではない。第１受風体７１、第２受風体７２及び第３受風体７３は、反光器１の設置場所で想定される風Ｗの強さに応じた、好適な大きさ及び形状であればよい。また、受風部７０を構成する受風体の数は、一つでもよい。また、受風部７０は、外周面１０Ｓに設けられた部材に限定されるものではない。例えば、外周面１０Ｓの一部を凹ませて、凹んだ部分で風Ｗを受けるようにしてもよい。さらに、受風部７０を設けず、架空線３の振動によって、反光器１を回転させるようにしてもよい。この場合も、架空線３の運動エネルギーが回転体１００の回転エネルギーに変換されるため、架空線３が大きく振動しにくくなる。
【００６６】
回転体１００は、例えば、中心軸Ｘｒを中心として、回転対称な形状を有する。図２、図３および図５に示すように、回転体１００は、中心軸Ｘｒを中心とする円の周方向に沿って複数の第１分割片１１０に分割されている。複数の第１分割片１１０は、互いに同じ形状を有する。本実施形態では、例えば、回転体１００は、第１仮想平面Ｐ１、第２仮想平面Ｐ２及び第３仮想平面Ｐ３によって三分割されている。第１仮想平面Ｐ１、第２仮想平面Ｐ２及び第３仮想平面Ｐ３は、互いに１２０°で交差するように中心軸Ｘｒから放射状に延在する平面である。
【００６７】
図１に示すように、複数の第１分割片１１０は、形状記憶合金で形成された第１線材Ｍ１によって結束されている。形状記憶合金は、ある温度（変態点）以下で変形しても、その温度以上に加熱すると、元の形状に回復する性質を持った合金である。第１線材Ｍ１は、本体部１０の＋Ｘ方向側の端部及び−Ｘ方向側の端部にそれぞれ設けられた形状記憶線挿入部１５に挿入されている。形状記憶線挿入部１５は、中心軸Ｘｒを中心とする環状の管である。図１および図２に示すように、形状記憶線挿入部１５は、第１仮想平面Ｐ１、第２仮想平面Ｐ２及び第３仮想平面Ｐ３によって、第１形状記憶線挿入部１６と、第２形状記憶線挿入部１７と、第３形状記憶線挿入部１８とに分割されている。
【００６８】
図５に示すように、複数の第１分割片１１０を架空線３の周りに配置して組み合わせることで、回転体１００が架空線３に取り付けられる。複数の第１分割片１１０には、それぞれ第１接合面１１０ａと第２接合面１１０ｂとが設けられている。第１接合面１１０ａには突起部１１０Ｐが設けられており、第２接合面１１０ｂには凹部１１０Ｈが設けられている。複数の第１分割片１１０は、突起部１１０Ｐと凹部１１０Ｈとを嵌合させることにより、互いに結合される。これにより、回転体１００を架空線３に容易に取り付けることができる。
【００６９】
図１および図２に示すように、複数の第１分割片１１０を組み合わせると、第１形状記憶線挿入部１６、第２形状記憶線挿入部１７及び第３形状記憶線挿入部１８がつながって環状の形状記憶線挿入部１５が形成される。形状記憶線挿入部１５の一部、すなわち、第１形状記憶線挿入部１６、第２形状記憶線挿入部１７及び第３形状記憶線挿入部１８の少なくとも一つには、図示しない切り欠きが形成されている。この切り欠きから、形状記憶線挿入部１５の内部に、形状記憶線挿入部１５に沿った円の円周とほぼ同じ形状の第１線材Ｍ１が挿入される。
【００７０】
形状記憶線挿入部１５に第１線材Ｍ１が挿入された状態で第１線材Ｍ１が変態点以上の温度に加熱されると、形状記憶線挿入部１５が第１線材Ｍ１によって中心軸Ｘｒに向かう方向に締め付けられる。これにより、複数の第１分割片１１０が互いに結束される。第１線材Ｍ１の巻き数は任意である。第１線材Ｍ１の巻き数を二以上とすることで、複数の第１分割片１１０を強固に結束することができる。
【００７１】
複数の第１分割片１１０を形状記憶合金で形成された第１線材Ｍ１によって結束することで、複数の第１分割片１１０の周りに第１線材Ｍ１を巻きつけるための工具が不要になる。また、第１線材Ｍ１の巻き緩みも発生しにくい。また、第１線材Ｍ１は、腐食されにくいため、複数の第１分割片１１０の結束が解けて落下することが抑制され、点検又は部品取替等のメンテナンスの回数も低減される。
【００７２】
図４および図６に示すように、ガイド部６０（第１ガイド部６１、第２ガイド部６２）は、中心軸Ｘｒを中心とする円の周方向に沿って複数の第２分割片１２０に分割されている。複数の第２分割片１２０は、互いに同じ形状を有する。本実施形態の場合、第１ガイド部６１および第２ガイド部６２は、中心軸Ｘｒを含み、ＸＹ平面に平行な第４仮想平面Ｐ４でそれぞれ二分割されている。
【００７３】
複数の第２分割片１２０は、形状記憶合金で形成された第２線材Ｍ２によって結束されている。第２線材Ｍ２は、第１ガイド部６１の外周面および第２ガイド部６２の外周面にそれぞれ設けられた形状記憶線挿入部６５に挿入されている。形状記憶線挿入部６５は、中心軸Ｘｒを中心とする環状の管である。形状記憶線挿入部６５は第４仮想平面Ｐ４によって二分割されている。
【００７４】
図６に示すように、複数の第２分割片１２０を架空線３の周りに配置して組み合わせることで、ガイド部６０が架空線３に取り付けられる。複数の第２分割片１２０には、それぞれ第１接合面１２０ａと第２接合面１２０ｂとが設けられている。第１接合面１２０ａには突起部１２０Ｐが設けられており、第２接合面１２０ｂには凹部１２０Ｈが設けられている。複数の第２分割片１２０は、突起部１２０Ｐと凹部１２０Ｈとを嵌合させることにより、互いに結合される。これにより、ガイド部６０を架空線３に容易に取り付けることができる。
【００７５】
図７に示すように、複数の第２分割片１２０を組み合わせると、環状の形状記憶線挿入部６５が形成される。形状記憶線挿入部６５の一部には、切り欠き６５ａが形成されている。切り欠き６５ａから、形状記憶線挿入部６５の内部に、形状記憶線挿入部６５に沿った円の円周とほぼ同じ形状の第２線材Ｍ２が挿入される。
【００７６】
形状記憶線挿入部６５に第２線材Ｍ２が挿入された状態で第２線材Ｍ２が変態点以上の温度に加熱されると、形状記憶線挿入部６５が第２線材Ｍ２によって中心軸Ｘｒに向かう方向に締め付けられる。これにより、複数の第２分割片１２０が互いに結束される。第２線材Ｍ２の巻き数は任意である。第２線材Ｍ２の巻き数を二以上とすることで、複数の第２分割片１２０を強固に結束することができる。
【００７７】
複数の第２分割片１２０を形状記憶合金で形成された第２線材Ｍ２によって結束することで、複数の第２分割片１２０の周りに第２線材Ｍ２を巻きつけるための工具が不要になる。また、第２線材Ｍ２の巻き緩みも発生しにくい。また、第２線材Ｍ２は、腐食されにくいため、複数の第２分割片１２０の結束が解けて落下することが抑制され、点検又は部品取替等のメンテナンスの回数も低減される。
【００７８】
図４および図６に示すように、架空線把持部５０（第１架空線把持部５１、第２架空線把持部５２）は、中心軸Ｘｒを中心とする円の周方向に沿って複数の第３分割片１３０に分割されている。複数の第３分割片１３０は、互いに同じ形状を有する。本実施形態の場合、第１架空線把持部５１および第２架空線把持部５２は、例えば、中心軸Ｘｒを含み、ＸＹ平面に平行な第４仮想平面Ｐ４でそれぞれ二分割されている。
【００７９】
図６に示すように、複数の第３分割片１３０を架空線３の周りに配置して組み合わせることで、架空線把持部５０が架空線３に取り付けられる。複数の第３分割片１３０には、それぞれ第１接合面１３０ａと第２接合面１３０ｂとが設けられている。第１接合面１３０ａには突起部１３０Ｐが設けられており、第２接合面１３０ｂには凹部１３０Ｈが設けられている。複数の第３分割片１３０は、突起部１３０Ｐと凹部１３０Ｈとを嵌合させることにより、互いに結合される。これにより、架空線把持部５０を架空線３に容易に取り付けることができる。
【００８０】
図１に示すように、複数の第３分割片１３０は、形状記憶合金で形成された第３線材Ｍ３によって結束されている。第１架空線把持部５１の外周面および第２架空線把持部５２の外周面には、それぞれ中心軸Ｘｒを中心とした円の円周に沿って少なくとも一つの溝５５が形成されている。第１架空線把持部５１および第２架空線把持部５２は、溝５５に沿った円の円周とほぼ同じ形状の第３線材Ｍ３を溝５５に巻きつけることで、架空線３に取り付けられる。
【００８１】
第３線材Ｍ３が溝５５に巻きつけられた状態で第３線材Ｍ３が変態点以上の温度に加熱されると、第１架空線把持部５１および第２架空線把持部５２がそれぞれ第３線材Ｍ３によって中心軸Ｘｒに向かう方向に締め付けられる。これにより、複数の第３分割片１３０が互いに結束される。第３線材Ｍ３の巻き数は任意である。第３線材Ｍ３の巻き数を二以上とすることで、複数の第３分割片１３０を強固に結束することができる。
【００８２】
複数の第３分割片１３０を形状記憶合金で形成された第３線材Ｍ３によって結束することで、複数の第３分割片１３０の周りに第３線材Ｍ３を巻きつけるための工具が不要になる。また、第３線材Ｍ３の巻き緩みも発生しにくい。また、第３線材Ｍ３は、腐食されにくいため、複数の第３分割片１３０の結束が解けて落下することが抑制され、点検又は部品取替等のメンテナンスの回数も低減される。
【００８３】
以上説明したように、本実施形態の反光器１によれば、反射部２０が本体部１０の内部に設けられるため、反射面２０Ｓに直接汚れが付着することがない。そのため、架空線３に反光器１を取り付けて、架空線３の視認性を向上させる場合に、反射効果を長期間持続することができる。
【００８４】
また、本体部１０および反射部２０は架空線３に回転自在に取り付けられているため、反射面２０Ｓが風Ｗや架空線３の振動によって架空線３の周りを回転する。よって、反光器１の視認性が高まる。また、本体部１０および反射部２０が回転することで受風抵抗が低減され、さらに、架空線３の振動エネルギーや架空線３をあおる風Ｗの運動エネルギーを消費して本体部１０および反射部２０が回転するため、架空線３の振動が抑制される。
【００８５】
反光器１は、電源や電気回路等の電気系統を使用しない簡素な構造であるため、落雷等によって電気系統が機能しなくなる可能性が低い。また、反光器１は、電気系統のメンテナンスが不要であるため、反光器１の維持が容易になる。
【００８６】
以上、本発明の実施の形態を説明したが、前述した内容により本発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、本発明の趣旨を逸脱しない範囲で構成要素の種々の省略、置換及び変更のうち少なくとも１つを行うことができる。
【００８７】
例えば、上記の実施形態では、反射部２０が、本体部１０を透過した外光を反射する例を挙げたが、反射部２０の構成はこれに限定されない。例えば、反射面２０Ｓの表面に、外光の一部を吸収して可視光を放射する蛍光塗料の膜（波長変換層）を形成し、この膜から放射された可視光を外光とともに反射部２０で反射してもよい。
【符号の説明】
【００８８】
１  反光器
３  架空線
１０  本体部
１０Ｓ  外周面
２０  反射部
２０Ｓ  反射面
２９  凹凸
５０  架空線把持部
６０  ガイド部
７０  受風部
９０  支持軸
１００  回転体
１１０  第１分割片
１２０  第２分割片
１３０  第３分割片
Ｍ１  第１線材
Ｍ２  第２線材
Ｍ３  第３線材
Ｗ  風
Ｘｒ  中心軸
【図１】
2016185042.tif 000003
【図２】
2016185042.tif 000004
【図３】
2016185042.tif 000005
【図４】
2016185042.tif 000006
【図５】
2016185042.tif 000007
【図６】
2016185042.tif 000008
【図７】
2016185042.tif 000009
【図８】
2016185042.tif 000010